(57)【要約】【課題】補助的な帯状遮蔽体を用いずに、一対の遮蔽体の両側縁のうち部屋のコーナ部とは反対側の側縁からの光漏れを変化させずに維持した状態で、部屋のコーナ部の窓からの光漏れを減少又は防止する。【解決手段】水平方向に延びる取付フレーム１１，１２が天井、壁又は窓枠に取付けられ、この取付フレーム１１，１２から昇降可能な遮蔽体２１，２２が垂下される。また、遮蔽体２１，２２の水平方向の長さが取付フレーム１１，１２の長さより大きく形成される。更に、水平面内であって遮蔽体２１，２２の長手方向に交差する方向を遮蔽体２１，２２の前後方向とするとき、遮蔽体２１，２２がこの遮蔽体２１，２２の前後方向に移動可能に或いは取付フレーム又は遮蔽体の一端を中心に水平面内で回動可能に構成される。【選択図】図４
2018178665.tif 000002
【特許請求の範囲】
【請求項１】
天井、壁又は窓枠に取付けられ水平方向に延びる取付フレームと、この取付フレームから垂下され昇降可能な遮蔽体とを備えた日射遮蔽装置において、
前記遮蔽体の水平方向の長さが前記取付フレームの長さより大きく形成され、
水平面内であって前記遮蔽体の長手方向に交差する方向を前記遮蔽体の前後方向とするとき、前記遮蔽体がこの遮蔽体の前後方向に移動可能に或いは前記取付フレーム又は前記遮蔽体の一端を中心に水平面内で回動可能に構成された
ことを特徴とする日射遮蔽装置。
【請求項２】
前記取付フレームが、部屋のコーナ部を挟む２つの壁面のうち一方の壁面に沿うように前記天井、壁又は窓枠に取付けられた第１取付フレームと、前記部屋のコーナ部を挟む２つの壁面のうち他方の壁面に沿うように前記天井、壁又は窓枠に取付けられ一端が前記第１取付フレームの一端に接近して設けられた第２取付フレームとを有し、前記遮蔽体が、前記第１取付フレームから垂下された第１遮蔽体と、前記第２取付フレームから垂下された第２遮蔽体とを有し、前記第１遮蔽体が前記一方の壁面から離れるように又は前記一方の壁面に近付くように前記第１遮蔽体の前後方向に移動する第１の移動、或いは前記第２遮蔽体が前記他方の壁面から離れるように又は前記他方の壁面に近付くように前記第２遮蔽体の前後方向に移動する第２の移動のいずれか一方又は双方の移動により、前記第１及び第２遮蔽体の一端が接近又は当接するように構成された請求項１記載の日射遮蔽装置。
【請求項３】
前記取付フレームが、部屋のコーナ部を挟む２つの壁面のうち一方の壁面に沿うように前記天井、壁又は窓枠に取付けられた第１取付フレームと、前記部屋のコーナ部を挟む２つの壁面のうち他方の壁面に沿うように前記天井、壁又は窓枠に取付けられ他端が前記第１取付フレームの他端に接近して設けられた第２取付フレームとを有し、前記遮蔽体が、前記第１取付フレームから垂下された第１遮蔽体と、前記第２取付フレームから垂下された第２遮蔽体とを有し、前記第１取付フレーム又は前記第１遮蔽体の一端を中心に前記第１取付フレームの他端が前記一方の壁面から離れるように又は前記一方の壁面に近付くように回動する第１の回動、或いは前記第２取付フレーム又は前記第２遮蔽体の一端を中心に前記第２取付フレームの他端が前記他方の壁面から離れるように又は前記他方の壁面に近付くように回動する第２の回動のいずれか一方又は双方の回動により、前記第１及び第２遮蔽体の他端が接近又は当接するように構成された請求項１記載の日射遮蔽装置。
【請求項４】
前記遮蔽体の下端にボトムレールが設けられ、前記ボトムレールが前記遮蔽体より短く形成された請求項１ないし３いずれか１項に記載の日射遮蔽装置。
【発明の詳細な説明】
【技術分野】
【０００１】
本発明は、天井、壁又は窓枠に取付フレームが取付けられ、この取付フレームから垂下された遮蔽体が昇降可能に構成された日射遮蔽装置に関する。更に詳しくは、コーナ部を挟む２つの壁面に沿う取付フレームからそれぞれ垂下された遮蔽体によりコーナ部の窓からの光漏れを減少又は防止するのに適した日射遮蔽装置に関するものである。
【背景技術】
【０００２】
従来、固定面に固定された支持部材から昇降可能に遮蔽材が吊下げられ、遮蔽材が上昇した状態に対して、遮蔽材が下降した状態における固定面に対する遮蔽材の吊下げ位置が支持部材の長手方向に変化するように構成されたブラインドが開示されている（例えば、特許文献１参照。）。このブラインドでは、遮蔽材が支持部材から昇降可能に吊下げられる昇降コードの昇降に伴って昇降し、昇降コードを巻取可能なドラムが支持部材の長手方向に移動することにより、支持部材からの昇降コードの吊下げ位置が長手方向に移動し、昇降コードと一体に遮蔽材が移動するように構成される。
【０００３】
このように構成されたブラインドでは、スラット（遮蔽材）の昇降の全区間において長手方向に移動する場合、スラットが上限位置まで上昇しているとき、隣り合うスラット同士は最大に離隔しており、隣り合うヘッドボックスの隙間と同程度の間隔の隙間が形成され、スラットの下降に伴ってスラットが隣り合うスラット方向へ移動し、隣り合うスラット同士の隙間が徐々に小さくなっていき、スラットが下限位置まで下降すると、隣り合うスラット同士の隙間が閉塞された状態になる。また、支持部材をブラケット等によって窓枠等に固定し、この支持部材内に２つのヘッドボックスを長手方向に移動可能に配設した場合、スラットが下限位置まで下降したときに、隣り合うヘッドボックス自体が互いに接近する方向に移動することにより、隣り合うスラット同士の隙間を閉塞する。従って、スラットが上昇した状態における固定面に対するスラットの吊下げ位置と、スラットが下降した状態における固定面に対するスラットの吊下げ位置とが異なるので、スラットが下降した状態においてスラットの吊下げ位置を支持部材の長手方向に変化させることにより、スラットが窓枠に近付いてスラットと窓枠との隙間が小さくなり、また隣り合うスラット同士が近付いてスラット同士の隙間が小さくなり、光漏れを防止できる。
【０００４】
一方、昇降可能な遮蔽材が垂下手段により垂下され、遮蔽材の端部が帯状遮蔽材により遮蔽され、この帯状遮蔽材が、垂下手段に一体的に設けられた帯状遮蔽材保持手段又は遮蔽材に支持された遮蔽装置が開示されている（例えば、特許文献２参照。）。この遮蔽装置では、帯状遮蔽材は、帯状遮蔽材保持手段により垂下手段に対して相対移動可能に支持される。また、帯状遮蔽材又は帯状遮蔽材の支持部材を紐などで移動方向に引くように構成してもよく、これにより帯状遮蔽材を直接引くことなく移動できる。更に、遮蔽体及び帯状遮蔽体をハニカム状に形成した場合、帯状遮蔽材の基端側に切込みが所定長で形成され、ハニカム状に形成された状態の接合片上に長孔が形成され、この長孔に昇降コードが挿通される。
【０００５】
このように構成された遮蔽装置では、遮蔽材の全閉状態で隙間を塞ぐことが可能な帯状遮蔽材を用いて室内への採光量や通気性を調節できるとともに、帯状遮蔽材の取付施工性を向上できる。
【先行技術文献】
【特許文献】
【０００６】
【特許文献１】特開２０１４−２０６００９号公報（請求項１及び２、段落［００２０］、［００４９］、［００５２］、図５Ｂ、図７Ａ〜図７Ｄ、図１０Ａ、図１０Ｂ）
【特許文献２】特開２０１６−１２５２６０号公報（請求項１及び２、段落［００１９］、［００８１］、図１〜図７、図１３、図１５）
【発明の概要】
【発明が解決しようとする課題】
【０００７】
しかし、上記従来の特許文献１に示されたブラインドでは、スラットをその長手方向に移動させて隙間を閉塞しているため、部屋のコーナ部を挟む両壁面に沿って一対のブラインドをそれぞれ設けた場合、部屋のコーナ部の隙間を閉塞しようとして一対のブラインドのスラットをコーナ部に向ってその長手方向に移動させると、コーナ部とは反対側の隙間が大きくなってしまう不具合があった。また、上記従来の特許文献１の図５Ｂに示されたブラインドでは、部屋のコーナ部を挟む２つの壁面に沿うように一対の支持部材を設け、これらの支持部材に一対の遮蔽材を垂下した状態で、遮蔽材及び支持部材がたとえ前後移動或いは回動したとしても、支持部材同士が接触してしまうため、遮蔽材同士が接近できずに隙間が発生し、この隙間から光が漏れる問題点もあった。一方、上記従来の特許文献２に示された遮蔽装置では、帯状遮蔽体に１本の昇降コードが挿通されている場合、紐などで帯状遮蔽材を移動方向に引くと、帯状遮蔽材が横移動するときに、遮蔽材の位置によっては帯状遮蔽材が遮蔽材に引っ掛かり、スムーズに移動できない問題点があった。また、上記従来の特許文献２に示された遮蔽装置では、帯状遮蔽体に１本の昇降コードが挿通されている場合、遮蔽材を紐により移動することにより、遮蔽材に形成された紐取付孔と紐との接触部にストレスが加わり、生地によっては紐取付孔が上記ストレスにより大きくなってしまう問題点もあった。
【０００８】
本発明の第１の目的は、補助的な帯状遮蔽体を用いずに、一対の遮蔽体の両側縁のうち部屋のコーナ部とは反対側の側縁からの光漏れを変化させずに維持した状態で、部屋のコーナ部の窓からの光漏れを減少又は防止できる、日射遮蔽装置を提供することにある。本発明の第２の目的は、遮蔽体又は取付フレームが前後移動或いは回動しても、取付フレーム同士が接触せずに遮蔽体の一端が接近又は当接することにより、部屋のコーナ部の窓からの光漏れを減少又は防止できる、日射遮蔽装置を提供することにある。本発明の第３の目的は、ボトムレール間での僅かな光漏れはあるけれども、ボトムレール同士の接触による遮蔽体間からの光漏れを防止できる、日射遮蔽装置を提供することにある。
【課題を解決するための手段】
【０００９】
本発明の第１の観点は、図１、図３及び図４に示すように、天井１５、壁又は窓枠に取付けられ水平方向に延びる取付フレーム１１，１２と、この取付フレーム１１，１２から垂下され昇降可能な遮蔽体２１，２２とを備えた日射遮蔽装置１０において、遮蔽体２１，２２の水平方向の長さが取付フレーム１１，１２の長さより大きく形成され、水平面内であって遮蔽体２１，２２の長手方向に交差する方向を遮蔽体２１，２２の前後方向とするとき、遮蔽体２１，２２がこの遮蔽体２１，２２の前後方向に移動可能に或いは取付フレーム又は遮蔽体の一端を中心に水平面内で回動可能に構成されたことを特徴とする。
【００１０】
本発明の第２の観点は、第１の観点に基づく発明であって、更に図１、図３及び図４に示すように、取付フレーム１１，１２が、部屋のコーナ部６１を挟む２つの壁面６２，６３のうち一方の壁面６２に沿うように天井１５、壁又は窓枠に取付けられた第１取付フレーム１１と、部屋のコーナ部６１を挟む２つの壁面６２，６３のうち他方の壁面６３に沿うように天井１５、壁又は窓枠に取付けられ一端が第１取付フレーム１１の一端に接近して設けられた第２取付フレーム１２とを有し、遮蔽体２１，２２が、第１取付フレーム１１から垂下された第１遮蔽体２１と、第２取付フレーム１２から垂下された第２遮蔽体２２とを有し、第１遮蔽体２１が一方の壁面６２から離れるように又は一方の壁面６２に近付くように第１遮蔽体２１の前後方向に移動する第１の移動、或いは第２遮蔽体２２が他方の壁面６３から離れるように又は他方の壁面６３に近付くように第２遮蔽体２２の前後方向に移動する第２の移動のいずれか一方又は双方の移動により、第１及び第２遮蔽体２１，２２の一端が接近又は当接するように構成されたことを特徴とする。
【００１１】
本発明の第３の観点は、第１の観点に基づく発明であって、更に図６、図９及び図１０に示すように、取付フレーム８１，８２が、部屋のコーナ部６１を挟む２つの壁面６２，６３のうち一方の壁面６２に沿うように天井１５、壁又は窓枠に取付けられた第１取付フレーム８１と、部屋のコーナ部６１を挟む２つの壁面６２，６３のうち他方の壁面６３に沿うように天井１５、壁又は窓枠に取付けられ他端が第１取付フレーム８１の他端に接近して設けられた第２取付フレーム８２とを有し、遮蔽体２１，２２が、第１取付フレーム８１から垂下された第１遮蔽体２１と、第２取付フレーム８２から垂下された第２遮蔽体２２とを有し、第１取付フレーム８１又は第１遮蔽体の一端を中心に第１取付フレーム８１又は第１遮蔽体の他端が一方の壁面６２から離れるように又は一方の壁面６２に近付くように回動する第１の回動、或いは第２取付フレーム８２又は第２遮蔽体の一端を中心に第２取付フレーム８２又は第２遮蔽体の他端が他方の壁面６３から離れるように又は他方の壁面６３に近付くように回動する第２の回動のいずれか一方又は双方の回動により、第１及び第２遮蔽体２１，２２の他端が接近又は当接するように構成されたことを特徴とする。
【００１２】
本発明の第４の観点は、第１ないし第３の観点のいずれかに基づく発明であって、更に図３〜図５に示すように、遮蔽体２１，２２の下端にボトムレール３１が設けられ、このボトムレール３１が遮蔽体２１より短く形成されたことを特徴とする。
【発明の効果】
【００１３】
本発明の第１の観点の日射遮蔽装置では、遮蔽体をこの遮蔽体の前後方向に移動可能に或いは取付フレーム又は遮蔽体の一端を中心に水平面内で回動可能に構成したので、部屋のコーナ部を挟む２つの壁面に沿って一対の取付フレームをそれぞれ取付けた場合、一対の取付フレームから垂下された一対の遮蔽体の両側縁と部屋のコーナ部との距離を殆ど変化させずに、一対の遮蔽体の両側縁のうちコーナ部側の側縁同士が接近又は当接することにより、部屋のコーナ部の隙間を閉塞できる。この結果、補助的な帯状遮蔽体を用いずに、一対の遮蔽体の両側縁のうち部屋のコーナ部とは反対側の側縁からの光漏れを変化させずに維持した状態で、部屋のコーナ部の窓からの光漏れを減少又は防止できる。また、遮蔽体の水平方向の長さを取付フレームの長さより大きく形成したので、部屋のコーナ部を挟む２つの壁面に沿って一対の取付フレームをそれぞれ取付けて、遮蔽体又は取付フレームが前後移動或いは回動しても、取付フレーム同士が接触しない。この結果、遮蔽体の一端が接近又は当接することにより、部屋のコーナ部の窓からの光漏れを減少又は防止できる。
【００１４】
本発明の第２の観点の日射遮蔽装置では、部屋のコーナ部が凹状コーナ部である場合、第１遮蔽体が一方の壁面から離れるように第１遮蔽体の前後方向に移動する第１の移動、或いは第２遮蔽体が他方の壁面から離れるように第２遮蔽体の前後方向に移動する第２の移動のいずれか一方又は双方の移動により、第１及び第２遮蔽体の一端が接近又は当接するので、部屋のコーナ部の隙間を第１及び第２遮蔽体により閉塞できる。この結果、部屋のコーナ部の窓からの光漏れを減少又は防止できる。また、部屋のコーナ部が凸状コーナ部である場合、第１遮蔽体が一方の壁面に近付くように第１遮蔽体の前後方向に移動する第１の移動、或いは第２遮蔽体が他方の壁面に近付くように第２遮蔽体の前後方向に移動する第２の移動のいずれか一方又は双方の移動により、第１及び第２遮蔽体の一端が接近又は当接するので、部屋のコーナ部の隙間を第１及び第２遮蔽体により閉塞できる。この結果、部屋のコーナ部の窓からの光漏れを減少又は防止できる。また、部屋のコーナ部が凹状コーナ部又は凸状コーナ部のいずれの場合であっても、第１及び第２遮蔽体はこれらの長手方向に移動しないため、即ち第１及び第２遮蔽体の両側縁と部屋のコーナ部との距離が殆ど変化しないため、第１及び第２遮蔽体の両側縁のうちコーナ部とは反対側の側縁から光漏れを変化させずに維持できる。更に、第１及び第２遮蔽体の水平方向の長さを第１及び第２取付フレームの長さよりそれぞれ大きく形成したので、遮蔽体又は取付フレームが前後移動しても、取付フレーム同士が接触しない。この結果、遮蔽体の一端が接近又は当接することにより、部屋のコーナ部の窓からの光漏れを減少又は防止できる。
【００１５】
本発明の第３の観点の日射遮蔽装置では、部屋のコーナ部が凹状コーナ部である場合、第１取付フレーム又は第１遮蔽体の一端を中心に第１取付フレーム又は第１遮蔽体の他端が一方の壁面から離れるように回動する第１の回動、或いは第２取付フレーム又は第２遮蔽体の一端を中心に第２取付フレーム又は第２遮蔽体の他端が他方の壁面から離れるように回動する第２に回動のいずれか一方又は双方の回動により、第１及び第２遮蔽体の他端が接近又は当接するので、部屋のコーナ部の隙間を第１及び第２遮蔽体により閉塞できる。この結果、部屋のコーナ部の窓からの光漏れを減少又は防止できる。また、部屋のコーナ部が凸状コーナ部である場合、第１取付フレーム又は第１遮蔽体の一端を中心に第１取付フレーム又は第１遮蔽体の他端が一方の壁面に近付くように回動する第１の回動、或いは第２取付フレーム又は第２遮蔽体の一端を中心に第２取付フレーム又は第２遮蔽体の他端が他方の壁面に近付くように回動する第２の回動のいずれか一方又は双方の回動により、第１及び第２遮蔽体の他端が接近又は当接するので、部屋のコーナ部の隙間を第１及び第２遮蔽体により閉塞できる。この結果、部屋のコーナ部の窓からの光漏れを減少又は防止できる。また、部屋のコーナ部が凹状コーナ部又は凸状コーナ部のいずれの場合であっても、第１及び第２遮蔽体はこれらの長手方向に殆ど移動しないため、即ち第１及び第２遮蔽体の両側縁と部屋のコーナ部との距離が殆ど変化しないため、第１及び第２遮蔽体の両側縁のうちコーナ部とは反対側の側縁から光漏れを変化させずに維持できる。更に、第１及び第２遮蔽体の水平方向の長さを第１及び第２取付フレームの長さよりそれぞれ大きく形成したので、遮蔽体又は取付フレームが回動しても、取付フレーム同士が接触しない。この結果、遮蔽体の一端が接近又は当接することにより、部屋のコーナ部の窓からの光漏れを減少又は防止できる。
【００１６】
本発明の第４の観点の日射遮蔽装置では、ボトムレールを遮蔽体より短く形成したので、部屋のコーナ部を挟む２つの壁面に沿って一対の取付フレームをそれぞれ取付けた場合、遮蔽体が前後方向に移動するか或いは一端を中心に回動して、遮蔽体の一端が互いに近付いたときに、各ボトムレールが互いに接触することはない。この結果、各ボトムレール間の隙間から光漏れが発生するけれども、ボトムレール同士の接触による遮蔽体の一端の接近又は当接の妨げを阻止でき、遮蔽体間からの光漏れを減少又は防止できる。
【図面の簡単な説明】
【００１７】
【図１】本発明第１実施形態の横型ブラインドの第１取付フレーム及び第１スラット群の平面図である。
【図２】その第１取付フレームを前後方向に移動させる前後移動機構を示す平面構成図である。
【図３】その横型ブラインドの第１取付フレーム及び第１スラット群の正面図である。
【図４】部屋の凹状コーナ部の一方の壁面に沿って設けられた第１取付フレームと他方の壁面に沿って設けられた第２取付けフレームを壁面から離れるように前方に移動させる前の状態（ａ）及び後の状態（ｂ）を示す平面図である。
【図５】部屋の凸状コーナ部の一方の壁面に沿って設けられた第１取付フレームと他方の壁面に沿って設けられた第２取付けフレームを壁面に近付くように後方に移動させる前の状態（ａ）及び後の状態（ｂ）を示す平面図である。
【図６】本発明第２実施形態の横型ブラインドの第１取付フレーム及び第１スラット群の平面図である。
【図７】図６（ａ）のＡ部拡大斜視図である。
【図８】（ａ）は図６（ａ）のＡ部拡大平面図であり、（ｂ）は図６（ｂ）のＢ部拡大平面図である。
【図９】その横型ブラインドの第１取付フレーム及び第１スラット群の正面図である。
【図１０】部屋の凹状コーナ部の一方の壁面に沿って設けられた第１取付フレームの他端と他方の壁面に沿って設けられた第２取付フレームの他端を壁面から離れるように回転させる前の状態（ａ）及び後の状態（ｂ）を示す平面図である。
【図１１】部屋の凸状コーナ部の一方の壁面に沿って設けられた第１取付フレームの他端と他方の壁面に沿って設けられた第２取付フレームの他端を壁面に近付くように回転させる前の状態（ａ）及び後の状態（ｂ）を示す平面図である。
【発明を実施するための形態】
【００１８】
次に本発明を実施するための形態を図面に基づいて説明する。
【００１９】
＜第１の実施の形態＞
図１及び図３〜図５に示すように、日射遮蔽装置１０は、この実施の形態では、横型ブラインドである。この横型ブラインド１０は、天井１５に取付けられた第１及び第２取付フレーム１１，１２と、これらの第１及び第２取付フレーム１１，１２からそれぞれ垂下された第１及び第２スラット群２１，２２とを備える（図３〜図５）。第１取付フレーム１１と第２取付フレーム１２とは線対称に形成され、第１スラット群２１と第２スラット群２２とは線対称に形成される（図４及び図５）。第１及び第２スラット群２１，２２の下端には第１ボトムレール３１（図３）及び第２ボトムレール（図示せず）がそれぞれ設けられる。具体的には、第１ボトムレール３１及び第２ボトムレールは第１及び第２スラット群２１，２２の複数のスラット２１ａ，２２ａのうち最下段のスラット２１ａ，２２ａの直下に位置するように水平方向に延びてそれぞれ設けられる。上記第１及び第２取付フレーム１１，１２のうち第１取付フレーム１１について説明し、第１取付フレーム１１と線対称である第２取付フレーム１２の説明を省略する。また、第１及び第２スラット群２１，２２のうち第１スラット群２１について説明し、第１スラット群２１と線対称である第２スラット群２２の説明を省略する。
【００２０】
第１取付フレーム１１は、上面が開口したチャンネル状に形成される（図１）。第１取付フレーム１１内には、この第１取付フレーム１１の長手方向に延びる四角柱状の１本の昇降チルト駆動軸１３が設けられるとともに、２個のドラムホルダ１４，１４が第１取付フレーム１１の長手方向に間隔をあけてそれぞれ設けられる。２個のドラムホルダ１４，１４には、２本の昇降コード１６，１６をそれぞれ繰出し可能に巻取る２個の巻取ドラム（図示せず）と、２組のラダーコード１７，１７の前後をそれぞれ上下動させる２個の傾動ドラム（図示せず）とが取付けられる（図３）。そして、これらの巻取ドラム及び傾動ドラムに上記昇降チルト駆動軸１３が挿通され、巻取ドラム及び傾動ドラムは昇降チルト駆動軸１３を中心に回動可能であって第１取付フレーム１１の長手方向に移動可能に構成される（図１）。また、上記巻取ドラムは常に昇降チルト駆動軸１３とともに回転可能に構成され、傾動ドラムは所定の角度だけ昇降チルト駆動軸１３ととともに回転可能に構成される。具体的には、傾動ドラムに形成されたプーリ溝（図示せず）に円弧板状のラダーリング（図示せず）の内周部が嵌合される。そして、昇降チルト駆動軸１３が前方向又は後方向に９０度未満の角度だけ回転すると、傾動ドラムが昇降チルト駆動軸１３とともに回転し、ラダーリングの内周部と傾動ドラムのプーリ溝の摩擦によりラダーリングも傾動ドラムと一体的に回転するように構成される。一方、昇降チルト駆動軸１３が前方向又は後方向に９０度以上回転すると、ラダーリングが傾動ストッパ（図示せず）に当たって傾動ドラムの回転が停止して、第１スラット群２１の各スラット２１ａが９０度以上傾斜しなくなるけれども、巻取ドラムは回転し続けるように構成される。
【００２１】
上記２組のラダーコード１７，１７により第１スラット群２１が吊下げられる（図３）。ラダーコード１７は、第１スラット群２１の複数のスラット２１ａの前縁及び後縁に沿って鉛直方向に延びる一対の縦紐１７ａと、これらの縦紐１７ａに両端が固着され各スラット２１ａをその上面及び下面から挟んで所定の位置に保持する一対の横紐（図示せず）とからなる。また、一対の縦紐１７ａの下端は第１ボトムレール３１にそれぞれ取付けられ、上端は傾動ドラムの前後にそれぞれ取付けられる。
【００２２】
上記２本の昇降コード１６，１６により第１スラット群２１が昇降するように構成される（図３）。また、第１ボトムレール３１には２本の昇降コード１６，１６の一端がそれぞれ取付けられ、これらの昇降コード１６，１６の他端は第１スラット群２１の各スラット２１ａに遊挿された後に巻取ドラムにそれぞれ取付けられる。また、第１スラット群２１の水平方向の長さは第１取付フレーム１１の長さより大きく形成される（図１〜図３）。即ち、第１スラット群２１の両端は第１取付フレーム１１の両端より長手方向にそれぞれ突出するように構成される。更に、第１ボトムレール３１の長さは第１スラット群２１の水平方向の長さより短く形成される（図３）。即ち、第１ボトムレール３１の両端は第１スラット群２１の両端より長手方向にそれぞれ引込むように構成される。
【００２３】
なお、図３中の符号１９は、第１取付フレーム１１の前面右部に取付けられた昇降チルト用操作部材である。この昇降チルト操作部材１９は、第１スラット群２１の複数のスラット２１ａの昇降又はチルトを行うために、昇降チルト用プーリ２３及び歯車（図示せず）を介して昇降チルト駆動軸１３に接続される。そして、昇降チルト用操作部材１９を操作することにより、昇降チルト駆動軸１３が回動して、昇降コード１６，１６が巻取ドラムに巻取られ又は巻取ドラムから繰出されることにより、第１スラット群２１を昇降できるとともに、ラダーコード１７，１７の前後が上下動して、第１スラット群２１の複数のスラット２１ａが前側又は後側に傾斜することにより、これらのスラット２１ａのチルト角を変更できるようになっている。
【００２４】
一方、水平面内であって第１スラット群２１の長手方向に直交する方向を第１スラット群２１の前後方向とするとき、第１取付フレーム１１は第１スラット群２１の前後方向に前後移動機構４０により移動可能に構成される（図１及び図２）。この前後移動機構４０は、図２に詳しく示すように、第１取付フレーム１１から所定の間隔をあけて平行に設けられた固定フレーム４１と、固定フレーム４１を天井１５に取付けるための一対の固定ブラケット４２，４２と、第１取付フレーム１１を第１スラット群２１の前後方向に移動可能に天井１５に取付けるための一対のスライドレール４３，４３と、基端が第１取付フレーム１１の前面から突出し先端が第１取付フレーム１１内を通って固定フレーム４１に挿入された回転可能なプーリ軸４４と、プーリ軸４４の一端に嵌着された前後移動用プーリ４６と、固定フレーム４１内にこの固定フレーム４１の長手方向に延びて設けられ固定フレーム４１に回転可能に取付けられ更にプーリ軸４４と立体交差する伝達軸４７と、第１取付フレーム１１の後面から固定フレーム４１に向って突設されその長手方向に延びる雌ねじ４８ａ，４８ａがそれぞれ形成された一対のボス部材４８，４８と、先端に一対のボス部材４８，４８の雌ねじ４８ａ，４８ａにそれぞれ螺合される雄ねじ４９ａ，４９ａが形成され基端が伝達軸４７と立体交差する軸状に形成された一対の雄ねじ付軸４９，４９とを有する。
【００２５】
前後移動用プーリ４６には、前後移動用操作部材５１が巻き掛けられる（図２及び図３）。また、プーリ軸４４の基端は前後移動用プーリ４６を覆うプーリ用カバー５２（図３）を介して天井１５に回転可能に取付けられ、プーリ軸４４の先端は第１取付フレーム１１を貫通して固定フレーム４１に回転可能に取付けられる。また、スライドレール４３は、天井１５に取付けられ両側内面に複数の鋼球（図示せず）が転動可能な一対の第１凹溝（図示せず）が形成されたチャンネル状の固定片４３ａと、この固定片４３ａに挿入可能に設けられ両側外面に複数の鋼球（図示せず）が転動可能な一対の第２凹溝（図示せず）が形成された可動片４３ｂとを有する。また、プーリ軸４４の先端にはプーリ側ウォーム５３が嵌着され、伝達軸４７の基端にはプーリ側ウォーム５３に噛合する伝達側ウォームホイール５４が嵌着される（図１及び図２）。また、雄ねじ付軸４９の基端は固定フレーム４１に回転可能であって長手方向に移動不能に取付けられる。更に、伝達軸４７には一対の雄ねじ付軸４９，４９と立体交差する部分に一対の伝達側ウォーム５６，５６がそれぞれ嵌着され、一対の雄ねじ付軸４９，４９の基端には一対の伝達側ウォーム５６，５６に噛合する一対の雄ねじ側ウォームホイール５７，５７がそれぞれ嵌着される。
【００２６】
このように構成された横型ブラインド１０の取付方法、使用方法及び作用を説明する。
（１−１）  横型ブラインド１０を部屋の凹状コーナ部６１を挟むように設ける場合
図４（ａ）に示すように、部屋のコーナ部が凹状である場合、第１取付フレーム１１は部屋の凹状コーナ部６１を挟む２つの壁面６２，６３のうち横方向に延びる壁面６２（一方の壁面）に沿うように天井１５に取付けられる。このとき第１取付フレーム１１と横方向に延びる壁面６２との間に固定フレーム４１が位置するように、第１取付フレーム１１、固定フレーム４１及びプーリ用カバー５２が天井１５にそれぞれ取付けられる。また、第２取付フレーム１２は部屋の凹状コーナ部６１を挟む２つの壁面６２，６３のうち縦方向に延びる壁面６３（他方の壁面）に沿うように天井に取付けられる。このとき第２取付フレーム１２と縦方向に延びる壁面６３との間に固定フレーム４１が位置するように、第２取付フレーム１２、固定フレーム４１及びプーリ用カバーが天井にそれぞれ取付けられる。これにより、第２取付フレーム１２の一端と第１取付フレーム１１の一端とが比較的近くに位置し、第２取付フレーム１２の他端と第１取付フレーム１１の他端とが離れて位置する。なお、図示しないが、凹状コーナ部６１を挟む２つの壁面６２，６３の下方には、凹状コーナ部６１に接近する窓又は凹状コーナ部６１で接続される窓がそれぞれ設けられる。
【００２７】
上記凹状コーナ部６１の窓からの光漏れを阻止するには、先ず、第１取付フレーム１１の前面に設けられた昇降チルト用操作部材１９（図３）を操作して、第１スラット群２１の各スラット２１ａを起立させて最下段まで下降させた後に、第１取付フレーム１１の前面に設けられた前後移動用操作部材５１（図３）を操作する。この前後移動用操作部材５１の操作により前後移動用プーリ４６（図４（ａ））が回転し、この回転力が、図１及び図２に示すように、プーリ軸４４、プーリ側ウォーム５３、伝達側ウォームホイール５４、伝達軸４７、一対の伝達側ウォーム５６，５６、一対の雄ねじ側ウォームホイール５７，５７を介して一対の雄ねじ付軸４９，４９に伝達され、これら一対の雄ねじ付軸４９，４９が回転することにより、一対のボス部材４８，４８が第１取付フレーム１１とともに図４（ｂ）の破線矢印の方向、即ち横方向に延びる壁面６２から離れる方向（前方）に移動する。
【００２８】
次に、第２取付フレーム１２の前面に設けられた昇降チルト用操作部材を操作して、第２スラット群２２の各スラット２２ａを起立させて最下段まで下降させた後に、第２取付フレーム１２の前面に設けられた前後移動用操作部材を操作する。この前後移動用操作部材の操作により上記と同様に、前後移動用プーリ４６（図４（ａ））が回転し、この回転力がプーリ軸、プーリ側ウォーム、伝達側ウォームホイール、伝達軸、一対の伝達側ウォーム、一対の雄ねじ側ウォームホイールを介して一対の雄ねじ付軸に伝達され、これら一対の雄ねじ付軸が回転することにより、一対のボス部材が第２取付フレーム１２とともに図４（ｂ）の一点鎖線矢印の方向、即ち縦方向に延びる壁面６３から離れる方向（前方）に移動する。この結果、第１及び第２取付フレーム１１，１２の一端同士が互いに接近して、第１及び第２スラット群２１，２２の一端同士が互いに接近又は当接するので、部屋の凹状コーナ部６１の隙間を第１及び第２スラット群２１，２２により閉塞できる。従って、部屋の凹状コーナ部６１の窓からの光漏れを減少又は防止できる。
【００２９】
このように取付けられかつ使用される横型ブラインド１０の作用を説明する。第１及び第２スラット群２１，２２はこれらの長手方向に移動しないため、即ち第１及び第２スラット群２１，２２の両側縁と部屋の凹状コーナ部６１との距離が殆ど変化しないため、第１及び第２スラット群２１，２２の両側縁のうち凹状コーナ部６１とは反対側の側縁から光漏れを変化させずに維持できる。また、第１及び第２スラット群２１，２２の水平方向の長さを第１及び第２取付フレーム１１，１２の長さよりそれぞれ大きく形成したので、第１及び第２取付フレーム１１，１２が第１及び第２スラット群２１，２２とともに第１及び第２スラット群２１，２２の前方にそれぞれ移動しても、第１及び第２取付フレーム１１，１２同士が接触しない。この結果、第１及び第２スラット群２１，２２の一端が接近又は当接することにより、部屋の凹状コーナ部６１の窓からの光漏れを減少又は防止できる。更に、第１ボトムレール３１及び第２ボトムレールの長さを第１及び第２スラット群２１，２２の水平方向の長さより短く形成したので、第１及び第２取付フレーム１１，１２が第１及び第２スラット群２１，２２とともに第１及び第２スラット群２１，２２の前方にそれぞれ移動しても、第１ボトムレール３１及び第２ボトムレール同士が接触しない。この結果、第１及び第２スラット群２１，２２の一端が接近又は当接することにより、部屋の凹状コーナ部６１の窓からの光漏れを減少又は防止できる。
【００３０】
（１−２）  横型ブラインド１０を部屋の凸状コーナ部６６を挟むように設ける場合
図５（ａ）に示すように、部屋のコーナ部が凸状である場合、第１取付フレーム１１は部屋の凸状コーナ部６６を挟む２つの壁面６７，６８のうち縦方向に延びる壁面６７（一方の壁面）に沿うように天井１５に取付けられる。このとき第１取付フレーム１１と縦方向に延びる壁面６７との間に固定フレーム４１が位置するように、第１取付フレーム１１、固定フレーム４１及びプーリ用カバー５２が天井１５にそれぞれ取付けられる。また、第２取付フレーム１２は部屋の凸状コーナ部６６を挟む２つの壁面６７，６８のうち横方向に延びる壁面６８（他方の壁面）に沿うように天井１５に取付けられる。このとき第２取付フレーム１２と横方向に延びる壁面６８との間に固定フレーム４１が位置するように、第２取付フレーム１２、固定フレーム４１及びプーリ用カバー５２が天井１５にそれぞれ取付けられる。これにより、第２取付フレーム１２の一端と第１取付フレーム１１の一端とが比較的近くに位置し、第２取付フレーム１２の他端と第１取付フレーム１１の他端とが離れて位置する。なお、図示しないが、凸状コーナ部６６を挟む２つの壁面６７，６８の下方には、凸状コーナ部６６に接近する窓又は凸状コーナ部６６で接続される窓がそれぞれ設けられる。
【００３１】
上記凸状コーナ部６６の窓からの光漏れを阻止するには、先ず、第１取付フレーム１１の前面に設けられた昇降チルト用操作部材１９（図３）を操作して、第１スラット群２１の各スラット２１ａを起立させて最下段まで下降させた後に、第１取付フレーム１１の前面に設けられた前後移動用操作部材５１（図３）を操作する。この前後移動用操作部材５１の操作により前後移動用プーリ４６（図５（ａ））が回転し、この回転力が、図１及び図２に示すように、プーリ軸４４、プーリ側ウォーム５３、伝達側ウォームホイール５４、伝達軸４７、一対の伝達側ウォーム５６，５６、一対の雄ねじ側ウォームホイール５７，５７を介して一対の雄ねじ付軸４９，４９に伝達され、これら一対の雄ねじ付軸４９，４９が回転することにより、一対のボス部材４８，４８が第１取付フレーム１１とともに図５（ｂ）の破線矢印の方向、即ち縦方向に延びる壁面６７に近付く方向（後方）に移動する。
【００３２】
次に、第２取付フレーム１２の前面に設けられた昇降チルト用操作部材を操作して、第２スラット群２２の各スラット２２ａを起立させて最下段まで下降させた後に、第２取付フレーム１２の前面に設けられた前後移動用操作部材を操作する。この前後移動用操作部材の操作により上記と同様に、前後移動用プーリ４６（図５（ａ））が回転し、この回転力がプーリ軸、プーリ側ウォーム、伝達側ウォームホイール、伝達軸、一対の伝達側ウォーム、一対の雄ねじ側ウォームホイールを介して一対の雄ねじ付軸に伝達され、これら一対の雄ねじ付軸が回転することにより、一対のボス部材が第２取付フレーム１２とともに図５（ｂ）の一点鎖線矢印の方向、即ち横方向に延びる壁面６８に近付く方向（後方）に移動する。この結果、第１及び第２取付フレーム１１，１２の一端同士が互いに接近して、第１及び第２スラット群２１，２２の一端同士が互いに接近又は当接するので、部屋の凸状コーナ部６６の隙間を第１及び第２スラット群２１，２２により閉塞できる。従って、部屋の凸状コーナ部６６の窓からの光漏れを減少又は防止できる。なお、このように取付けられかつ使用される横型ブラインド１０の作用は、上記（１−１）の「横型ブラインド１０を部屋の凹状コーナ部６１を挟むように設ける場合」と同様であるので、繰返しの説明を省略する。
【００３３】
＜第２の実施の形態＞
図６〜図１１は本発明の第２の実施の形態を示す。図６〜図１１において図１〜図５と同一符号は同一部品を示す。この実施の形態では、水平面内であって第１スラット群２１の長手方向に直交する方向を第１スラット群２１の前後方向とするとき、第１取付フレーム８１が回動吸着機構９０により第１取付フレーム８１の一端を中心に水平面内で回動可能に構成される（図６〜図８）。なお、この実施の形態においても、第１の実施の形態と同様に、第１取付フレーム８１と第２取付フレーム８２とは線対称に形成され、第１スラット群２１と第２スラット群２２とは線対称に形成される。第１及び第２スラット群２１，２２の下端には第１ボトムレール３１及び第２ボトムレール（図示せず）がそれぞれ設けられる。上記第１及び第２取付フレーム８１，８２のうち第１取付フレーム８１について説明し、第１取付フレーム８１と線対称である第２取付フレーム８２の説明を省略する。また、この実施の形態では、第１及び第２取付フレーム８１，８２の両端のうち支持ステー９２が取付けられた一端から突出する第１及び第２スラット群２１，２２の端部を一端とし、被吸着部材９４が嵌着された他端から突出する第１及び第２スラット群２１，２２の端部を他端とする。
【００３４】
上記回動吸着機構９０は、上端が天井１５に取付けられた支軸９１と、一端が支軸９１の下端に水平面内で回動可能に取付けられ他端に第１取付フレーム８１の一端（図６及び図９の右端）が取付けられる支持ステー９２と、第１取付フレーム８１の他端（図６及び図９の左端）近傍を天井１５に取付けるために第１取付フレーム８１の長手方向に直交する方向に延びて設けられたスライドレール９３と、第１取付フレーム８１の他端近傍のうちスライドレール９３に対向する位置の上面及び両側面に嵌着され上面中央に第１取付フレーム８１の長手方向に延びる長孔９４ａが形成されたチャンネル状の被吸着部材９４と、第１取付フレーム８１の他端近傍のうち被吸着部材９４の両側面に対向しかつ被吸着部材９４の両側面から所定の間隔をあけて天井１５にそれぞれ取付けられた壁側吸着部材９６及び室内側吸着部材９７とを有する（図６〜図８）。
【００３５】
上記スライドレール９３は、天井１５に取付けられ両側内面に複数の鋼球（図示せず）が転動可能な一対の第１凹溝（図示せず）が形成されたチャンネル状の固定片９３ａと、この固定片９３ａに挿入可能に設けられ両側外面に複数の鋼球（図示せず）が転動可能な一対の第２凹溝（図示せず）が形成された可動片９３ｂとを有する（図７〜図９）。可動片９３ｂは固定片９３ａに対して長手方向に相対的に移動可能に構成される。また、可動片９３ｂの下面中央には、軸部９８ａとこの軸部９８ａより大径の頭部９８ｂとからなる突起９８が突設される（図７）。この突起９８の軸部９８ａは被吸着部材９４の長孔９４ａに挿通され、突起９８は長孔９４ａに沿って移動可能に構成される（図７及び図８）。更に、被吸着部材９４は鉄、コバルト、ニッケル、又はこれらの合金等の強磁性体により形成される。
【００３６】
壁側吸着部材９６は、第１取付フレーム８１の他端近傍のうち被吸着部材９４の両側面のうち壁６２，６７側の側面に対向しかつ壁６２，６７側の側面から所定の間隔をあけて天井１５に取付けられる（図６〜図８、図１０及び図１１）。また、室内側吸着部材９７は、第１取付フレーム８１の他端近傍のうち被吸着部材９４の両側面のうち室内側の側面に対向しかつ室内側の側面から所定の間隔をあけて天井１５に取付けられる。壁側吸着部材９６は、アングル状に形成された保持具９６ａと、この保持具９６ａに収容された一対の磁石９６ｂ，９６ｂとにより構成され、室内側吸着部材９７は、アングル状に形成された保持具９７ａと、この保持具９７ａに収容された一対の磁石９７ｂ，９７ｂとにより構成される（図６〜図８）。
【００３７】
一方、一端が第１ボトムレール３１に長手方向に間隔をあけて取付けられた２本の昇降コード９９，９９の他端は、第１スラット群２１の複数のスラット２１ａに挿通され、第１取付フレーム８１内に挿通されて、第１取付フレーム８１の右部前面からまとめて垂下された後に、第１ボトムレール３１の右端に取付けられる（図９）。昇降コード９９，９９のうち第１取付フレーム８１の右部前面からまとめて垂下された部分を操作することにより第１ボトムレール３１及び第１スラット群２１を昇降できるようになっている（図６及び図９〜図１１）。また、第１取付フレーム８１の前面右部には、第１スラット群２１の複数のスラット２１ａをチルトするためのチルト用操作棒１０１が回転可能に取付けられる。このチルト用操作棒１０１は第１取付フレーム１１内にその長手方向に延びて設けられかつ第１取付フレーム８１に回転可能に取付けられたチルト軸１０２（図６）に接続され、このチルト軸１０２には２個の傾動ドラム１０３，１０３（図６）がそれぞれ嵌着され、更にこれらの傾動ドラム１０３，１０３には２組のラダーコード１７，１７（図９）の上端が取付けられる。なお、図６及び図９中の符号１０４は、第１取付フレーム８１の前面左部に基端が取付けられ支軸９１を中心に第１取付フレーム８１を回動させるために把持する回動用操作棒である。上記以外は第１の実施の形態と同一に構成される。
【００３８】
このように構成された横型ブラインド８０の取付方法、使用方法及び作用を説明する。
（２−１）  横型ブラインド８０を部屋の凹状コーナ部６１を挟むように設ける場合
図１０（ａ）に示すように、部屋のコーナ部が凹状である場合、第１取付フレーム８１は部屋の凹状コーナ部６１を挟む２つの壁面６２，６３のうち横方向に延びる壁面６２（一方の壁面）に沿うように天井１５に取付けられる。このとき第１取付フレーム８１のうち支持ステー９２が取付けられた一端が凹状コーナ部６１から離れた状態であり、かつ被吸着部材９４が嵌着された他端が凹状コーナ部６１に接近した状態で、第１取付フレーム８１が天井１５に取付けられる。また、第２取付フレーム８２は部屋の凹状コーナ部６１を挟む２つの壁面６２，６３のうち縦方向に延びる壁面６３（他方の壁面）に沿うように天井１５に取付けられる。このとき第２取付フレーム８２のうち支持ステー９２が取付けられた一端が凹状コーナ部６１から離れた状態であり、かつ被吸着部材９４が嵌着された他端が凹状コーナ部６１に接近した状態で、第２取付フレーム８２が天井１５に取付けられる。これにより、第２取付フレーム８２の他端と第１取付フレーム８１の他端とが比較的近くに位置し、第２取付フレーム８２の一端と第１取付フレーム８１の一端とが離れて位置する。なお、図示しないが、凹状コーナ部６１を挟む２つの壁面６２，６３の下方には、凹状コーナ部６１に接近する窓又は凹状コーナ部６１で接続される窓がそれぞれ設けられる。
【００３９】
上記凹状コーナ部６１の窓からの光漏れを阻止するには、先ず、図１０（ａ）に示すように、第１取付フレーム８１の前面右部から垂下された昇降コード９９を操作することにより、第１ボトムレール３１及び第１スラット群２１の各スラット２１ａを最下段まで下降させ、第１取付フレーム８１の前面右部に回転可能に取付けられたチルト用操作棒１０１を操作することにより、第１スラット群２１の各スラット２１ａを起立させた後に、第１取付フレーム８１の前面左部に設けられた回動用操作棒１０４を手前に引く。この回動用操作棒１０４の操作により、第１取付フレーム８１が支軸９１を中心に図１０（ｂ）の破線矢印で示す方向、即ち第１取付フレーム８１の他端が横方向に延びる壁面６２から離れる方向（前方）に回転し、第１取付フレーム８１の他端近傍に嵌着された被吸着部材９４が室内側吸着部材９７に当接して停止する。このときスライドレール９３の可動片９３ｂ下面に突設された突起９８が横方向に延びる壁面６２に対して直交する方向に移動するのに対し、第１取付フレーム８１が支軸９１を中心とする円弧運動であるために生じるズレ量は、突起９８が長孔９４ａ内をその長手方向に移動するにより吸収される（図７及び図８）。この結果、第１取付フレーム８１は支軸９２を中心にスムーズに回転する。また、被吸着部材９４が室内側吸着部材９７に磁力により吸着されるので、第１取付フレーム８１が意図せずに壁面６２に近付く方向に回転することはない。
【００４０】
次に、図１０（ａ）に示すように、第２取付フレーム８２の前面左部から垂下された昇降コード９９を操作することにより、第２ボトムレール及び第２スラット群２２の各スラット２２ａを最下段まで下降させ、第２取付フレーム８２の前面左部に回転可能に取付けられたチルト用操作棒１０１を操作することにより、第２スラット群２２の各スラット２２ａを起立させた後に、第２取付フレーム８２の前面右部に設けられた回動用操作棒１０４を手前に引く。この回動用操作棒１０４の操作により、第２取付フレーム８２が支軸９２を中心に図１０（ｂ）の一点鎖線矢印で示す方向、即ち第２取付フレーム８２の他端が縦方向に延びる壁面６３から離れる方向（前方）に回転し、第２取付フレーム８２の他端近傍に嵌着された被吸着部材９４が室内側吸着部材９７に当接して停止する。このときスライドレール９３の可動片下面に突設された突起が縦方向に延びる壁面６３に対して直交する方向に移動するのに対し、第２取付フレーム８２が支軸９１を中心とする円弧運動であるために生じるズレ量は、突起が長孔内をその長手方向に移動するにより吸収される。この結果、第２取付フレーム８２は支軸９１を中心にスムーズに回転する。また、被吸着部材９４が室内側吸着部材９７に磁力により吸着されるので、第２取付フレーム８２が意図せずに壁面６３に近付く方向に回転することはない。この結果、第１及び第２取付フレーム８１，８２の他端同士が互いに接近して、第１及び第２スラット群２１，２２の他端同士が互いに接近又は当接するので、部屋の凹状コーナ部６１の隙間を第１及び第２スラット群２１，２２により閉塞できる。従って、部屋の凹状コーナ部６１の窓からの光漏れを減少又は防止できる。
【００４１】
このように取付けられかつ使用される横型ブラインド８０の作用を説明する。第１及び第２スラット群２１，２２はこれらの長手方向に殆ど移動しないため、即ち第１及び第２スラット群２１，２２の両側縁と部屋の凹状コーナ部６１との距離が殆ど変化しないため、第１及び第２スラット群２１，２２の両側縁のうち凹状コーナ部６１とは反対側の側縁から光漏れを変化させずに維持できる。また、第１及び第２スラット群２１，２２の水平方向の長さを第１及び第２取付フレーム８１，８２の長さよりそれぞれ大きく形成したので、第１及び第２取付フレーム８１，８２がこれらの一端を中心にそれぞれ回転して、第１及び第２取付フレーム８１，８２の他端が第１及び第２スラット群２１，２２の他端とともに壁面６２，６３からそれぞれ離れても、第１及び第２取付フレーム１１，１２同士が接触しない。この結果、第１及び第２スラット群２１，２２の一端が接近又は当接することにより、部屋の凹状コーナ部６１の窓からの光漏れを減少又は防止できる。更に、第１ボトムレール３１及び第２ボトムレールの長さを第１及び第２スラット群２１，２２の水平方向の長さより短く形成したので、第１及び第２取付フレーム８１，８２がこれらの一端を中心にそれぞれ回転して、第１及び第２取付フレーム８１，８２の他端が第１及び第２スラット群２１，２２の他端とともに壁面６２，６３からそれぞれ離れても、第１ボトムレール３１及び第２ボトムレール同士が接触しない。この結果、第１及び第２スラット群２１，２２の一端が接近又は当接することにより、部屋の凹状コーナ部６１の窓からの光漏れを減少又は防止できる。
【００４２】
（２−２）  横型ブラインド８０を部屋の凸状コーナ部６６を挟むように設ける場合
図１１（ａ）に示すように、部屋のコーナ部が凸状である場合、第１取付フレーム８１は部屋の凸状コーナ部６６を挟む２つの壁面６７，６８のうち縦方向に延びる壁面６７（一方の壁面）に沿うように天井１５に取付けられる。このとき第１取付フレーム８１のうち支持ステー９２が取付けられた一端が凸状コーナ部６６から離れた状態であり、かつ被吸着部材９４が嵌着された他端が凸状コーナ部６６に接近した状態で、第１取付フレーム８１が天井１５に取付けられる。また、第２取付フレーム８２は部屋の凸状コーナ部６６を挟む２つの壁面６７，６８のうち横方向に延びる壁面６８（他方の壁面）に沿うように天井に取付けられる。このとき第２取付フレーム８２のうち支持ステー９２が取付けられた一端が凸状コーナ部６６から離れた状態であり、かつ被吸着部材９４が嵌着された他端が凸状コーナ部６６に接近した状態で、第２取付フレーム８２が天井に取付けられる。これにより、第２取付フレーム８２の他端と第１取付フレーム８１の他端とが比較的近くに位置し、第２取付フレーム８２の一端と第１取付フレーム８１の一端とが離れて位置する。なお、図示しないが、凸状コーナ部６６を挟む２つの壁面６７，６８の下方には、凸状コーナ部６６に接近する窓又は凸状コーナ部６６で接続される窓がそれぞれ設けられる。
【００４３】
上記凸状コーナ部６６の窓からの光漏れを阻止するには、先ず、図１１（ａ）に示すように、第１取付フレーム８１の前面右部から垂下された昇降コード９９を操作することにより、第１ボトムレール３１及び第１スラット群２１の各スラット２１ａを最下段まで下降させ、第１取付フレーム８１の前面右部に回転可能に取付けられたチルト用操作棒１０１を操作することにより、第１スラット群２１の各スラット２１ａを起立させた後に、第１取付フレーム８１の前面左部に設けられた回動用操作棒１０４を縦方向に延びる壁面６７に向って押す。この回動用操作棒１０４の操作により、第１取付フレーム８１が支軸９１を中心に図１１（ｂ）の破線矢印で示す方向、即ち第１取付フレーム８１の他端が縦方向に延びる壁面６７に近付く方向（後方）に回転し、第１取付フレーム８１の他端近傍に嵌着された被吸着部材９４が壁側吸着部材９６に当接して停止する。このときスライドレール９３の可動片９３ｂ下面に突設された突起９８が縦方向に延びる壁面６７に対して直交する方向に移動するのに対し、第１取付フレーム８１が支軸９１を中心とする円弧運動であるために生じるズレ量は、突起９８が長孔９４ａ内をその長手方向に移動するにより吸収される（図７及び図８）。この結果、第１取付フレーム８１は支軸９１を中心にスムーズに回転する。また、被吸着部材９４が壁側吸着部材９６に磁力により吸着されるので、第１取付フレーム８１が意図せずに壁面６７から離れる方向に回転することはない。
【００４４】
次に、図１１（ａ）に示すように、第２取付フレーム８２の前面左部から垂下された昇降コード９９を操作することにより、第２ボトムレール及び第１スラット群２２の各スラット２２ａを最下段まで下降させ、第２取付フレーム８２のの前面左部に回転可能に取付けられたチルト用操作棒１０１を操作することにより、第２スラット群２２の各スラット２２ａを起立させた後に、第２取付フレーム８２の前面右部に設けられた回動用操作棒１０４を横方向に延びる壁面６８に向って押す。この回動用操作棒１０４の操作により、第２取付フレーム８２が支軸９１を中心に図１１（ｂ）の一点鎖線矢印で示す方向、即ち第２取付フレーム８２の他端が横方向に延びる壁面６８に近付く方向（後方）に回転し、第２取付フレーム８２の他端近傍に嵌着された被吸着部材９４が壁側吸着部材９６に当接して停止する。このときスライドレール９３の可動片下面に突設された突起が横方向に延びる壁面６８に対して直交する方向に移動するのに対し、第２取付フレーム８２が支軸９１を中心とする円弧運動であるために生じるズレ量は、突起が長孔内をその長手方向に移動するにより吸収される。この結果、第２取付フレーム８２は支軸９１を中心にスムーズに回転する。また、被吸着部材９４が壁側吸着部材９６に磁力により吸着されるので、第２取付フレーム８２が意図せずに壁面６８から離れる方向に回転することはない。この結果、第１及び第２取付フレーム８１，８２の他端同士が互いに接近して、第１及び第２スラット群２１，２２の他端同士が互いに接近又は当接するので、部屋の凸状コーナ部６６の隙間を第１及び第２スラット群２１，２２により閉塞できる。従って、部屋の凸状コーナ部６６の窓からの光漏れを減少又は防止できる。なお、このように取付けられかつ使用される横型ブラインド８０の作用は、上記（２−１）の「横型ブラインド８０を部屋の凹状コーナ部６１を挟むように設ける場合」と同様であるので、繰返しの説明を省略する。
【００４５】
なお、上記第１及び第２の実施の形態では、第１及び第２取付フレームを天井に取付けたが、第１及び第２取付フレームを壁又は窓枠に取付けてもよい。また、上記第１の実施の形態では、第１プーリ軸の先端に第１プーリ側ウォームを嵌着し、第１伝達軸の基端に第１伝達側ウォームホイールを嵌着したが、第１プーリ軸の先端に第１プーリ側傘歯車を嵌着し、第１伝達軸の基端に第１伝達側傘歯車を嵌着してもよい。また、上記第１及び第２の実施の形態では、第１取付フレームに１組の第１スラット群をそれぞれ垂下し、第２取付フレームに１組の第２スラット群を垂下したが、第１取付フレームに２組以上の第１スラット群をそれぞれ垂下し、第２取付フレームに２組以上の第２スラット群を垂下してもよい。また、上記第１及び第２の実施の形態では、日射遮蔽装置として複数のスラットにより構成された１組のスラット群を有する横型ブラインドを挙げたが、ジグザグ状又はハニカム状のスクリーンを有するプリーツスクリーンや、展開時に略平坦になるスクリーンを有するローマンシェード等の日射遮蔽装置でもよい。また、上記第２の実施の形態では、被吸着部材を強磁性体により形成し、壁側吸着部材及び室内側吸着部材を保持具及び磁石により構成したが、被吸着部材を保持具及び磁石により構成し、壁側吸着部材及び室内側吸着部材を強磁性体により形成してもよい。
【００４６】
また、上記第１及び第２の実施の形態では、水平面内であってスラット群の長手方向に直交する方向をスラット群の前後方向としたが、水平面内であってスラット群の長手方向に直交以外の角度で交差する方向をスラット群の前後方向としてもよい。また、上記第１の実施の形態では、第１取付フレームを第１スラット群とともに前後方向に移動させる第１の移動、及び第２取付フレームを第２スラット群とともに前後方向に移動させる第２の移動の双方の移動により、第１及び第２スラット群の一端を接近又は当接させたが、上記第１の移動又は第２の移動のいずれか一方の移動により、第１及び第２スラット群の他端を接近又は当接させてもよい。また、上記第２の実施の形態では、第１取付フレームを第１スラット群とともにその一端を中心に回動させる第１の回動、及び第２取付フレームを第２スラット群とともにその一端を中心に回動させる第２の回動の双方の回動により、第１及び第２スラット群の他端を接近又は当接させたが、上記第１の回動又は第２の回動のいずれか一方の回動により、第１及び第２スラット群の他端を接近又は当接させてもよい。
【００４７】
また、上記第１の実施の形態では、第１取付フレームを第１スラット群とともに前後方向に移動させたが、第１スラット群を第１取付フレーム内で前後方向に移動させてもよい。更に、上記第２の実施の形態では、第１取付フレームを第１スラット群とともにその一端を中心に回動させたが、第１スラット群を第１取付フレーム内でその一端を中心に回動させてもよい。
【符号の説明】
【００４８】
１０  横型ブラインド（日射遮蔽装置）
１１  第１取付フレーム
１２  第２取付フレーム
１５  天井
２１  第１スラット群（第１遮蔽体）
２２  第２スラット群（第２遮蔽体）
６１  凹状コーナ部
６２  凹状コーナ部を挟む２つの壁面のうちの一方の壁面（横方向に延びる壁面）
６３  凹状コーナ部を挟む２つの壁面のうちの他方の壁面（縦方向に延びる壁面）
６６  凸状コーナ部
６７  凸状コーナ部を挟む２つの壁面のうちの一方の壁面（縦方向に延びる壁面）
６８  凸状コーナ部を挟む２つの壁面のうちの他方の壁面（横方向に延びる壁面）
【図１】
2018178665.tif 000003
【図２】
2018178665.tif 000004
【図３】
2018178665.tif 000005
【図４】
2018178665.tif 000006
【図５】
2018178665.tif 000007
【図６】
2018178665.tif 000008
【図７】
2018178665.tif 000009
【図８】
2018178665.tif 000010
【図９】
2018178665.tif 000011
【図１０】
2018178665.tif 000012
【図１１】
2018178665.tif 000013